(57)【要約】      （修正有）【課題】指圧子を停止させた状態で、発熱体だけを作動させて温灸施療を行なうことのできる可搬型マッサージ器を提供する。【解決手段】可撓性を有する袋部材２と、袋部材２内に収容されたマッサージ機器３とを有して成る。前記マッサージ機器３は、マッサージ動作を行なう揉み玉１０，１１と、揉み玉１０，１１を駆動させるモータと、揉み玉１０，１１に内蔵されて加熱するＰＴＣヒータ素子１２，１３と、モータとＰＴＣヒータ素子１２，１３に電源を供給して作動制御を行なう制御部とより成る。さらに、制御部に接続されたマッサージ用スイッチ１４と、ＰＴＣヒータ素子１２，１３への電源を供給・停止させるために前記マッサージ用スイッチ１４とは別個独立に制御部に接続された温灸用スイッチ１５とを備える。また、前記制御部は、温灸用スイッチ１５が外部から入操作されたときにＰＴＣヒータ素子１２，１３だけに電源を供給する電源切替回路を備えている。【選択図】図１
0003171672.tif 000002
【実用新案登録請求の範囲】
【請求項１】
可撓性を有する袋部材と、袋部材内に収容されてマッサージ動作を行なうマッサージ機器とを有して成り、前記マッサージ機器は、マッサージ動作を行なう指圧子と、指圧子を駆動させる駆動源と、指圧子に内蔵されて指圧子を加熱する発熱体と、駆動源と発熱体に電源を供給して作動制御を行なう制御部と、駆動源への電源を供給・停止させるために制御部に接続されたマッサージ用スイッチと、発熱体への電源を供給・停止させるために前記マッサージ用スイッチとは別個独立に制御部に接続された温灸用スイッチとを有して成り、前記制御部は、温灸用スイッチが外部から入操作されたときに発熱体だけに電源を供給する電源切替回路を備えていることを特徴とする可搬型マッサージ器。
【請求項２】
発熱体が、正温度係数特性を有するヒータ素子で構成されていることを特徴とする請求項１に記載の可搬型マッサージ器。
【考案の詳細な説明】
【技術分野】
【０００１】
本考案は、例えば椅子，座椅子，ソファー等の背もたれ部にもたせ掛けて使用される可搬型マッサージ器に関するものである。
【背景技術】
【０００２】
近年、身体疲労を解消するためにマッサージ施療を行なう可搬型マッサージ器が汎用されてきている。また、冷えの解消やお灸に似た温灸施療を行なう発熱体を備えたものも出始めている。
このような可搬型マッサージ器としては、旋回運動を行なう指圧子と、指圧子に内蔵された発熱体とを有する携帯式の揉み装置が、例えば特許文献１に記載されている。この揉み装置では、発熱体を停止させて指圧子だけを作動させたり、指圧子と発熱体を同時に作動させるようになっている。
また、例えば特許文献２には、器具本体に揺振可能に支持されて揺振先端で患部をマッサージする指圧子と、指圧子に埋設された発熱体とを有する携帯式のマッサージ器が記載されている。このマッサージ器では、指圧子と発熱体を同時に用いるようになっている。
【先行技術文献】
【特許文献】
【０００３】
【特許文献１】登録実用新案３１６３０１５号公報
【特許文献２】特開昭６３−１３５１７２号公報
【考案の概要】
【考案が解決しようとする課題】
【０００４】
ところで、薬事法施行令別表第一機械器具の項第７８号に掲げる家庭用電気治療器（具体的には、クラス分類告示別表第二に示された家庭用電気治療器）のうち、温灸・電気マッサージ組合せ家庭用医療機器は「クラス１７５１」として分類されている。この組合せ家庭用医療機器は、組み合わせられる機能ごとに効能効果が異なり複数機能を同時に使用したときに患部が悪化する可能性も残るため、複数機能の同時使用は認められていない。
しかしながら、上記した公報開示の揉み装置やマッサージ器では、マッサージ機能と温灸機能の併用運転を行なうとされている。ところが、マッサージ機能と温灸機能を同時に使用すると、マッサージ機能が利きすぎて筋肉や関節を充血させることがある。そのような場合、充血した部位が発熱体からの加温により更に充血を進めることとなって青アザなどを残したり、ひいては筋肉組織の重大な損傷を招いたりするおそれがある。
他方で、痛みを伴なうほど肩が凝りすぎたときやギックリ腰を生じたとき、あるいは肩、腰、おなかなどの冷えを解消したいときのように、温灸施療だけをしたい場合が往々にしてある。しかしながら、上記した公報開示の揉み装置やマッサージ器では、指圧子を停止させた状態で発熱体だけを作動させるという運転はしていなかったのである。
【０００５】
本考案は、上記した従来の問題点に鑑みてなされたものであって、指圧子を停止させた状態で発熱体だけを作動させて温灸施療を行なうことのできる可搬型マッサージ器の提供を目的とする。
【課題を解決するための手段】
【０００６】
上記目的を達成するために、本考案に係る可搬型マッサージ器は、可撓性を有する袋部材と、袋部材内に収容されてマッサージ動作を行なうマッサージ機器とを有して成り、前記マッサージ機器は、マッサージ動作を行なう指圧子と、指圧子を駆動させる駆動源と、指圧子に内蔵されて指圧子を加熱する発熱体と、駆動源と発熱体に電源を供給して作動制御を行なう制御部と、駆動源への電源を供給・停止させるために制御部に接続されたマッサージ用スイッチと、発熱体への電源を供給・停止させるために前記マッサージ用スイッチとは別個独立に制御部に接続された温灸用スイッチとを有して成り、前記制御部は、温灸用スイッチが外部から入操作されたときに発熱体だけに電源を供給する電源切替回路を備えているものである。
【０００７】
また、前記構成における発熱体が、正温度係数特性を有するヒータ素子で構成されているものである。
【考案の効果】
【０００８】
本考案に係る可搬型マッサージ器によれば、マッサージ用スイッチとは別個独立に制御部に接続された温灸用スイッチと、電源切替回路とを備えていて、温灸用スイッチが外部から入操作されたときに、電源切替回路が電源を発熱体だけに供給するので、指圧子を作動させることなく発熱体だけを作動させて温灸施療を行なうことができる。従って、省令で規制されているマッサージ機能と温灸機能の同時使用を行なうことがなく、個々の機能を利用者の所望により切り替えて安全にそれぞれの施療を行なうことができる。
【０００９】
また、正温度係数特性を有するヒータ素子で発熱体が構成されているものでは、ヒータ素子に含まれている半導体が温度上昇により膨張することにより電気抵抗値が増大して電気を通しにくくするので、マッサージ器自体の温度または周囲温度が上昇することがあっても、指圧子の温度が上がり過ぎるといったことがなく、指圧子の温度を温灸施療の適正温度域に好適に保持することができる。
【図面の簡単な説明】
【００１０】
【図１】本考案の一実施形態に係る可搬型マッサージ器の一部破断して示す正面図である。
【図２】前記可搬型マッサージ器を背部から見た斜視図である。
【図３】前記可搬型マッサージ器の内部をファスナを開放して示す外観図である。
【図４】前記可搬型マッサージ器のマッサージ機器の構成部品を示す分解斜視図である。
【図５】前記マッサージ機器の制御系統を示すブロック構成図である。
【図６】前記可搬型マッサージ器の使用態様を示し、（ａ）はソファーなどに腰掛け前記可搬型マッサージ器を肩、腰、または足下に置いて施療を受けている態様を示す説明図、（ｂ）は座椅子などに座り前記可搬型マッサージ器を脹脛下または腹上に置いて施療を受けている態様を示す説明図である。
【図７】温灸施療のために前記可搬型マッサージ器のＰＴＣヒータ素子を点灯させた状態を示す斜視図である。
【考案を実施するための形態】
【００１１】
本考案の実施形態を図面に基づいて説明する。尚、以下に述べる実施形態は本考案を具体化した一例に過ぎず、本考案の技術的範囲を限定するものでない。
図１は本考案の一実施形態に係る可搬型マッサージ器の一部破断して示す正面図、図２は前記可搬型マッサージ器を背部から見た斜視図、図３は前記可搬型マッサージ器を開放して示す外観図である。
各図に示した、この実施形態に係る可搬型マッサージ器１は、マッサージ施療または温灸施療に用いられるものであり、椅子の背もたれ部などにもたせ掛けられる程度の大きさ（例えば、左右幅３３ｃｍ程度、高さ１２ｃｍ程度、奥行１８ｃｍ程度）で正面から視て横長の蝶形状に形成されている。この可搬型マッサージ器１は、可撓性を有する袋部材２と、袋部材２内に収容されてマッサージ動作を行なうマッサージ機器３と、袋部材２の内面とマッサージ機器３との間に介装される例えばポリウレタンフォーム製のクッション材４と、マッサージ機器３に電源を供給する給電部１８または給電部２２とから構成されている。
【００１２】
前記の袋部材２は、袋部材２の背面全体を形成するように曲面に形成された軟質合成樹脂製の背面部５と、袋部材２の前面周縁部を形成する軟質合成樹脂製の前面部６と、前面部６の中央開口部を被って張架されたメッシュ布部７とから構成されている。そして、クッション材４の収容空間内に収容されたマッサージ機器３は、クッション材４の周囲に巻かれた幅広ゴム紐製の固定用帯５２によってクッション材４に一体に固定される。そして、背面部５周縁のファスナ５０と前面部６周縁のファスナ５１とが閉じられて袋部材２が封止される。
【００１３】
前記のマッサージ機器３は、左右１対のマッサージ部８Ａ，８Ｂと、マッサージ部８Ａ，８Ｂに電源を供給して作動制御を行なう制御部２４を有している。前記のマッサージ部８Ａ，８Ｂは、図４に示すように、モータ２９（駆動源の例）を収受する受け部４６を左右中央部に有する後部ケーシング３１と、モータ２９を被う被い部４７を有し後部ケーシング３１の前面開口を蓋止する前部ケーシング３２とを備えている。後部ケーシング３１における受け部４６の隣接位置には、制御部２４を配置する制御部配置スペースが確保されている。後部ケーシング３１と前部ケーシング３２の受け部４６と被い部４７の左右側方位置は、それぞれ、モータ２９から左右に延在するウォーム回転軸３７、ウォーム回転軸３７と噛合するはすば歯車３５、はすば歯車３５と噛合してウォーム回転軸３７の回転を減速する減速歯車３６、および、減速歯車３６の枢軸部を回動自由に挿通した導電板３８を収容する収容空間となっている。各はすば歯車３５の枢軸部の先端は前部ケーシング３２の軸支穴３３に回動自在に軸支され、その枢軸部の末端は後部ケーシング３１の軸支穴（図示省略；前部ケーシング３２の軸支穴３３と対面する位置に形成）に回動自在に軸支されている。各減速歯車３６の枢軸部の一端部は前部ケーシング３２の軸支穴３４に回動自在に軸支され、その枢軸部の末端は後部ケーシング３１の軸支穴（図示省略；前部ケーシング３２の軸支穴３４と対面する位置に形成）に回動自在に軸支されている。
【００１４】
各減速歯車３６の枢軸部の先端には、回転盤９がそれぞれ固設されている。各回転盤９の前面には、１組の支持部材４０，４１が回転盤９の回転軸心（１点鎖線Ｃで示す水平軸心）から偏心した位置に設けられている。支持部材４０は揉み玉１０（指圧子の例）で被われ、支持部材４１は揉み玉１１（指圧子の例）で被われている。揉み玉１０，１１は、ともに先端部が中空半球形を成す側面視きのこ状に形成されているが、回転盤９の前面から先端までの突出量は互いに異なっている。
【００１５】
揉み玉１０内には、正温度係数特性（すなわち、Positive Temperature Co−efficient（以下ＰＴＣと略称する）特性）を有するＰＴＣヒータ素子１２（発熱体の例）、およびＰＴＣヒータ素子１２を保持するランプパネル４３が内蔵されている。揉み玉１１内にはＰＴＣヒータ素子１３（発熱体の例）、およびＰＴＣヒータ素子１３を保持するランプパネル４３が内蔵されている。これらＰＴＣヒータ素子１２，１３に含まれている半導体は温度上昇により膨張することにより電気抵抗値が増大して電気を通しにくくする特性を有している。このような半導体の種類および含有量が適切に選定されることにより、揉み玉１０，１１の加熱温度が、温灸施療に使用される温度域（例えば４０〜６０℃程度）に自動的に保持される。更に、各回転盤９には、当該前面の貫通孔を通して、ＰＴＣヒータ素子１２，１３と導電板３８とを摺動自在に電気接続するカーボンブラシ３０，３０が取り付けられている。カーボンブラシ３０，３０を通された各回転盤９の貫通孔はカバー３９で蓋止されるようになっている。そして、被い部４７内においてモータ２９の近傍位置には、当該位置における温度が例えば８０℃を超えたときにマッサージ器全体を運転停止させるサーモスタット４２が配備されている。コア連結線４４，４５は各制御器２５と各導電板３８とをそれぞれ接続するものである。制御基板などで具現化される制御部２４は、後ケース４８および前ケース４９の内部に収容された状態で、後部ケーシング３１の制御部配置スペースに装備される。
【００１６】
制御部２４は、図５に示すように、例えば中央演算処理ユニットＣＰＵ、メモリ回路、およびクオーツ付きクロック回路などで構成される制御器２５と、給電部１８または給電部２２からの１２Ｖ直流電源を例えば５Ｖに降圧して制御器２５に供給する降圧回路２６と、給電部１８または給電部２２からの１２Ｖ直流電源を制御器２５からの指令信号に基づき調整してモータ２９に供給するモータ駆動回路２７と、給電部１８または給電部２２からの１２Ｖ直流電源を制御器２５からの指令信号に基づき調整してＰＴＣヒータ素子１２，１３に供給する発熱体駆動回路２８とから構成されている。前記のモータ駆動回路２７は制御器２５からの指令信号により正電圧または負電圧の直流電源を出力してモータ２９を正転駆動または逆転駆動させるようになっている。また、制御部２４の電源入側にはコード１６を介してプラグ１７が接続されている。そして、制御器２５の信号入力側には、マッサージ部８Ａ，８Ｂのモータ２９への電源を供給・停止させるためのマッサージ用スイッチ１４が接続されている。また、マッサージ部８Ａ，８ＢのＰＴＣヒータ素子１２，１３への電源を供給・停止させるための温灸用スイッチ１５が、マッサージ用スイッチ１４とは別個独立で、制御器２５の信号入力側に接続されている。また、制御器２５は電源切替回路５３を備えている。この電源切替回路５３は、温灸用スイッチ１５が器外の利用者によりＯＮにされたときにＰＴＣヒータ素子１２，１３だけに電源を供給するように発熱体駆動回路２８に指令信号を出力したり、あるいはマッサージ用スイッチ１４がＯＮにされたときにモータ２９だけに電源を供給するように発熱体駆動回路２８に指令信号を出力したりする。
【００１７】
そして、前記の制御器２５は、可搬型マッサージ器１の使用時間が所定時間に達したときに自動的に運転を停止させるためのタイマ機能や、モータ２９の温度が所定温度（例えば８０℃）に達したときに自動的に給電を停止させるための保護機能を有している。前記のタイマ機能は、マッサージ施療が例えば１５分間に設定され、温灸施療が例えば３０分間に設定されている。そして、交流・直流変換用の電源アダプタ１９と、コード２０を介して電源アダプタ１９に接続されたジャック２１とから成る給電部１８、または、車用のシガレットアダプタ２３と、コード２０を介してシガレットアダプタ２３に接続されたジャック２１とから成る給電部２２のいずれかが用いられる。前記した給電部１８，２２から可搬型マッサージ器１に供給される電源の定格電力は、例えばＤＣ１２Ｖで２．５Ａである。また、可搬型マッサージ器１における定格消費電力はランプ点灯状態で３０Ｗである。
【００１８】
上記のように構成された可搬型マッサージ器１の作用を次に説明する。使用に際しては、給電部１８または給電部２２のジャック２１がプラグ１７に接続される。ここでは給電部１８を用いた例を示す。
図６は可搬型マッサージ器１の使用態様を示す図である。図６（ａ）に示すように、利用者は例えばソファーなどに腰掛けて施療を受ける。そして、このような施療は、可搬型マッサージ器１を、椅子の背当て部と背中の間に挟んだり、床面と足裏の間に置いたりして行なわれる。あるいは、図６（ｂ）に示すように、可搬型マッサージ器１を床面と脹脛の間に置いたり、腹部に載せたりして施療が行なわれる。
まず、マッサージ施療を行なう場合は、利用者によりマッサージ用スイッチ１４がＯＮにされる。これにより、制御器２５は制御指令信号をモータ駆動回路２７に送り、モータ駆動回路２７は制御器２５からの制御指令信号に基づいて調整した直流電源をモータ２９に給電して左右一体のウォーム回転軸３７，３７を回転させる。ウォーム回転軸３７，３７の回転は、各はすば歯車３５に伝わり、更に各減速歯車３６を経て各回転盤９に伝わる。これによって、揉み玉１０，１１が旋回する。この場合、制御器２５は、モータ２９を一定時間毎に正転と反転を切り替えながら回転させる。これにより、旋回運動する各揉み玉１０，１１がメッシュ布部７を介して使用者の被施療部位を押圧しマッサージする。この際、揉み玉１０，１１は、恰もマッサージ師が指圧により利用者の筋肉を揉みほぐすような円運動の動きをするために、マッサージ効果に優れている。また、このマッサージ器１では揉み玉１０，１１の高さ（突出量）が異なっているので、揉み玉１１に押される箇所は弱く、揉み玉１０に押される箇所は強く、というように押圧力に強弱の変化に富んだマッサージが可能となる。
【００１９】
そうして、もう一度マッサージ用スイッチ１４が押されると、制御器２５は、モータ２９を停止させて揉み玉１０，１１の旋回を止める。尚、制御器２５は、マッサージ用スイッチ１４がＯＮにされたときでもＰＴＣヒータ素子１２，１３は作動させない。但し、前記のようにマッサージ用スイッチ１４がＯＮの状態で温灸用スイッチ１５がＯＮにされると、制御器２５はマッサージ用スイッチ１４をＯＦＦにしてモータ２９を停止させた後にＰＴＣヒータ素子１２，１３を点灯させて温灸施療に切り替える。
【００２０】
次に、温灸施療を行なう場合は、利用者により温灸用スイッチ１５がＯＮにされる。すると、制御器２５は制御指令信号を発熱体駆動回路２８に送り、発熱体駆動回路２８は制御器２５からの制御指令信号に基づいて調整した直流電源をＰＴＣヒータ素子１２，１３に給電して図７に示すように点灯させ、揉み玉１０，１１の温度を上昇させる。この場合、使用環境により差はあるが、揉み玉１０，１１の表面温度は約４０〜７０℃になる。この状態で、利用者は、加温したい部位に揉み玉１０，１１を押し付けることにより、昇温した揉み玉１０，１１が当接している部位やＰＴＣヒータ素子１２，１３による直接照射部位を加温して温灸施療を行なう。そして、前記のように温灸用スイッチ１５がＯＮの状態でもう一度温灸用スイッチ１５が押されると、ＰＴＣヒータ素子１２，１３が消灯する。尚、前記のように温灸用スイッチ１５がＯＮの状態でマッサージ用スイッチ１４がＯＮにされると、制御器２５は温灸用スイッチ１５をＯＦＦにした後にモータ２９を作動させてマッサージ施療に切り替える。
このようなマッサージ施療または温灸施療により、利用者の疲労回復、血行促進が図られ、筋肉の疲れがとられ、筋肉の凝りが解され、神経痛、筋肉痛の緩解などが行なわれる。因みに、腹部への温灸施療は胃腸の働きを活発にする。
【００２１】
以上説明したように、この実施形態の可搬型マッサージ器１によれば、温灸用スイッチ１５が器外の利用者によりＯＮにされたとき、制御器２５の電源切替回路５３はモータ２９への電源供給を停止させたうえで、ＰＴＣヒータ素子１２，１３に電源を供給するので、揉み玉１０，１１が停止した状態でＰＴＣヒータ素子１２，１３を作動させて温灸施療だけを行なうことができる。従って、省令で規制されているマッサージ機能と温灸機能の同時に使用するということはなく、利用者の所望によりマッサージ機能と温灸機能を切り替えてそれぞれの施療を安全に行なうことができる。
【００２２】
また、発熱体として、温度が上がるほど電気抵抗値が高くなる半導体で構成されたＰＴＣヒータ素子１２，１３を用いているので、高温室内での使用や長時間の患部への密着によるこもり熱があっても、揉み玉１０，１１の温度が上がり過ぎるといったことがなく、揉み玉１０，１１の温度を、温灸施療に使用される温度域（例えば４０〜６０℃程度）に自動的に保持することができる。
【００２３】
尚、上記の実施形態では、発熱体としてＰＴＣヒータ素子を用いた例を示したが、本考案はそれに限定されるものでなく、ＰＴＣヒータ素子に替えて、例えばシーズヒータや電熱ヒータなどを発熱体として用いても構わない。
また、上記では、左右１対のマッサージ部８Ａ，８Ｂを備えている例を示したが、ひとつのマッサージ部だけで構成されたものであっても構わない。
また、上記では、旋回動作を行なう半球状の揉み玉１０，１１を指圧子として例示したが、これらに限定されず、例えばバイブレータの振動子を指圧子として適用することも可能である。
【符号の説明】
【００２４】
１    可搬型マッサージ器
２    袋部材
３    マッサージ機器
４    クッション材
８Ａ，８Ｂ  マッサージ部
９    回転盤
１０，１１  揉み玉（指圧子）
１２，１３  ＰＴＣヒータ素子（発熱体）
１４  マッサージ用スイッチ
１５  温灸用スイッチ
２４  制御部
２５  制御器
２７  モータ駆動回路
２８  発熱体駆動回路
２９  モータ（駆動源）
５３  電源切替回路
Ｃ  １点鎖線
【図１】
0003171672.tif 000003
【図２】
0003171672.tif 000004
【図３】
0003171672.tif 000005
【図４】
0003171672.tif 000006
【図５】
0003171672.tif 000007
【図６】
0003171672.tif 000008
【図７】
0003171672.tif 000009